(57)【要約】【課題】一度に視認可能な複数の面上に情報表示部を持つ配置構成を、両面液晶表示部を用いて実現することで、省電力で小型な筐体を提供すること。【解決手段】本発明では、光源の表裏両面に液晶表示部材が配置され、表裏両面に別々または同一の表示が可能な、両面液晶表示部を備えた映像表示装置において、液晶表示面に対して任意の角度を成す反射光学系を１個もしくは複数配置したことを特徴としている。この映像表示装置においては、液晶表示面上に反射光学系が配置されているため、従来の両面表示液晶表示部では困難であった、一人または複数の人間が同時に複数の表示を見ることができるような、映像表示装置を提供できる。【選択図】　　　　図１
2004012605.tif 000002
【特許請求の範囲】
【請求項１】
表裏両面に別々または同一の表示が可能な、両面表示部を備えた映像表示装置において、表示面に対して任意の角度を成す反射光学系を１個もしくは複数個配置したことを特徴とする、映像表示装置。
【請求項２】
請求項１の映像表示装置において、両面表示部の表示部材が両面液晶表示部材であることを特徴とする映像表示装置。
【請求項３】
反射光学系として、反射鏡を用いた請求項１の映像表示装置。
【請求項４】
反射光学系として、プリズムを用いた請求項１の映像表示装置。
【請求項５】
複数の反射光学系を、同一表示面上に配置した請求項１から３の映像表示装置。
【請求項６】
請求項４の映像表示装置において、前記映像表示装置が傾倒方向検出手段を持ち、前記傾倒方向検出手段が検出した傾倒方向にあわせて、前記両面表示部材の裏表に表示する表示を、それぞれ切り替えられることを特徴とした映像表示装置。
【発明の詳細な説明】
【０００１】
【発明の属する技術分野】
本発明は情報端末や、携帯電子機器として使用される映像表示装置に係わり、特に小型化や省電力を必要とする映像表示装置に関する。
【０００２】
【従来の技術】
近年、携帯電子機器の普及にともない、様々な情報表示方式を搭載した携帯電子機器が登場している。特に、携帯電話、ノートパソコン、デジタルスチルカメラ、デジタルビデオカメラ等においては、複数の液晶表示部材を用いて、使用者に必要な情報を筐体のいろいろな角度から視認できるような提案がされている。従来、このような複数の液晶表示部材を持つ電子機器においては、必要な液晶表示部材の個数に合わせた、バックライト、液晶表示部材、液晶表示用集積回路等の組み合わせが必要であった。このような表示方式では消費電力が大きく、筐体も大型化する傾向にあるという欠点があった。これらの欠点を鑑みて、表裏両面の液晶表示部材を共通のバックライトや液晶表示用集積回路等で駆動可能な、両面表示液晶表示部材を用いた折り畳み式携帯電話などが開発されている。
【０００３】
【発明が解決しようとする課題】
しかし、人間の目の配置から考えて、一つの筐体の表裏に表示があっても、一人の人間が同時に見ることは不可能である。同時に多くの情報を、小さな筐体の表面から一人の人間が享受するためには、一度に視認可能な複数の面上に情報表示部を設ける必要性がある。
【０００４】
一度に視認可能な複数の面上に情報表示部を持ち、さらに両面液晶表示部材を用いて省電力を実現するような表示装置は提案されていない。
【０００５】
本発明はこのような問題点に鑑みてなされたもので、一度に視認可能な複数の面上に情報表示部を持つ配置構成を、両面液晶表示部材を用いて実現することで、省電力で小型な筐体を提供することを目的とする。
【０００６】
【課題を解決するための手段】
前記目的を解決するために、本発明では、表裏両面に別々または同一の表示が可能な、両面表示部を備えた映像表示装置において、表示面に対して任意の角度を成す反射光学系を１個もしくは複数配置したことを特徴としている。
【０００７】
この映像表示装置においては、表示面上に反射光学系が配置されているため、従来の両面表示部では困難であった、一人または複数の人間が同時に複数の表示を見ることができるような、映像表示装置を提供できる。
【０００８】
また、本発明における映像表示装置は、両面表示部の表示部材が液晶表示部材であることを特徴としている。
【０００９】
また、本発明における映像表示装置は、前記反射光学系として反射鏡を用いることを特徴としている。
【００１０】
この映像表示装置においては、前記反射光学系として反射鏡を用いているため、両面表示部材の一つの面を、任意の角度に表示することを可能にしている。
【００１１】
また、本発明における映像表示装置は、前記反射光学系としてプリズムを用いることを特徴としている。
【００１２】
この映像表示装置においては、前記反射光学系としてプリズムを用いているため、両面表示部材の一つの面を、一定の角度に表示することが可能であるだけでなく、透過した表示を使用者に視認させることができる。
【００１３】
また、本発明における映像表示装置は、両面表示部材の一つの面上に、複数の反射光学系を配置することを特徴としている。
【００１４】
この映像表示装置においては、両面表示部の一つの面上に、複数の反射光学系を配置しているため、共通のバックライトや、液晶表示駆動用集積回路等で同時に３つ以上の面に表示をすることができる。
【００１５】
また、本発明における映像表示装置は傾倒方向検出手段を持ち、前記傾倒方向検出手段が検出した傾倒方向にあわせて、前記両面表示部材の裏表に表示する表示を、それぞれ切り替えられることを特徴としている。
【００１６】
この映像表示装置においては、傾倒方向検出手段を持っているため、傾倒方向に合わせて、前記複数の液晶表示窓に傾倒方向に応じた表示をすることができる。
【００１７】
【発明の実施の形態】
以下、本発明における映像表示装置の実施形態について、添付した図面を参照しながら詳説する。
【００１８】
（第１の実施例）
第１の実施形態におけるデジタルカメラ１０１の概略の内部構成を図１に示す。デジタルカメラ１０１はレンズ部１０２と撮像素子１０３、信号処理回路１０４、画像記録部１０５、両面液晶表示部材１０６、操作部１０７からなる。
【００１９】
図２にはデジタルカメラ１０１の外観構成を示す。デジタルカメラ１０１の正面にレンズ部１０２が配置され、背面部には主液晶表示窓２０１、上面部には副液晶表示窓２０２がそれぞれ配置されている。
【００２０】
図３にはデジタルカメラ１０１に設置されている、両面液晶表示部材１０６の構成図を示す。両面液晶表示部材３０１はバックライト部３０２と、前記バックライト３０２を挟むように２枚の液晶表示部材３０３、３０４が配置され、バックライト部３０２の末端に液晶駆動用集積回路３０６を備えた基板３０７が配置され、基板３０７上にはダイオード等が設置されている。また、液晶表示部材３０３上に、液晶表示部材３０３をデジタルカメラ１０１の上面に映し出すような反射鏡３０８が設置されている。この反射鏡３０８は反射鏡３０８と同じ反射をするように被覆処理されたプリズムであってもよい。
【００２１】
このデジタルカメラ１０１はレンズ部１０２から、撮像しようとする被写体から入射した光を撮像素子１０３に結像させ、信号処理回路で信号の変換や圧縮を行い、両面液晶表示部材１０６の液晶表示部材３０４側に、前記結像した像を表示する。画像の記録を行う場合には前記結像した像を画像記録部１０５で記録する。
【００２２】
デジタルカメラ１０１の使用者は、撮像した被写体の像を主液晶表示窓２０１で確認しながら操作部１０７を操作することで、像の画質調整や画像記録部１０５への記録を行うことができる。この際、デジタルカメラ１０１の撮像条件や、画像記録部１０５の記録容量残量の表示は、従来のカメラ同様、デジタルカメラ１０１の上面部に配置された副液晶表示窓２０２を見ることで確認することができる。従来のカメラやデジタルカメラでは、この副液晶表示窓２０２のような役割の表示窓には、副液晶表示窓専用に設けられた、バックライトや基板、液晶駆動用集積回路、ダイオード等が必要であった。もしくは、消費電力の大きいバックライトを持たないため、暗がりで見ることができなかった。しかし、本発明におけるデジタルカメラ１０１は、１枚のバックライトで両面表示が可能な液晶表示部材１０６の液晶表示部材３０３側に、反射鏡３０８を配置することで、副液晶表示窓２０２に表示をすることができる。これにより、従来の副液晶表示窓２０２を用いた映像表示装置に比較して、消費電力が少なく、さらに基板３０７が主液晶表示窓２０１と副液晶表示窓２０２で共用できるので、筐体の小型化も実現することができる。
【００２３】
本実施例では、デジタルカメラについて説明したが、同様な副液晶表示部材を持つデジタルビデオカメラや携帯情報端末（ＰＤＡ）、携帯電話のような電子機器に適用できることは言うまでもない。
【００２４】
（第２の実施例）
図４には第２の実施例におけるデジタルカメラ１０１の外観構成を示す。デジタルカメラ１０１の正面にレンズ部１０２が配置され、背面部の中央に主液晶表示窓２０１、主液晶表示窓２０１の上部に副液晶表示窓２０２が配置されている。
【００２５】
図５には本実施例における両面液晶表示部材１０６周辺の構成図を示す。両面液晶表示部材１０６は主液晶表示窓２０１や副液晶表示窓２０２と直角を成すような位置に配置され、液晶表示部材３０３と液晶表示部材３０４それぞれの表面に、反射鏡３０８が設置され、液晶表示部材３０４の表示画像を主液晶表示窓２０１に、液晶表示部材３０３の表示画像を副液晶表示窓２０２にそれぞれ映し出すように構成されている。この反射鏡３０８は反射鏡３０８と同じ反射をするように被覆処理されたプリズムであってもよい。
【００２６】
デジタルカメラ１０１の使用者は、主液晶表示窓２０１で前記撮像画像を確認し、副液晶表示窓２０２でデジタルカメラ１０１の撮影条件等を確認する。従来、この副液晶表示窓２０２のような役割の表示部には、副液晶表示窓専用に設けられた、バックライトや基板、液晶駆動用集積回路、ダイオード等が必要であった。もしくは、消費電力の大きいバックライトを持たないため、暗がりで見ることができなかった。しかし、本発明におけるデジタルカメラ１０１は、１枚のバックライトで両面表示が可能な液晶表示部材１０６の液晶表示部材３０３と液晶表示部材３０４の両方に、反射鏡３０８を配置することで、１枚のバックライトで２箇所の表示をすることができる。これにより、従来の副液晶表示窓２０２を用いた映像表示装置に比較して、消費電力が少なく、さらに基板３０７が主液晶表示窓２０１と副液晶表示窓２０２で共用できるので、筐体の小型化も実現することができる。
【００２７】
本実施例では、両面液晶表示部材１０６を、デジタルカメラ１０１の背面に対して直角を成すように配置した構図で説明したが、デジタルカメラ１０１の背面と、両面液晶表示部材の成す角度は９０度でなくともよい。この場合には、反射鏡３０８を調整または複数枚組み合わせることで、上下２箇所の表示を実現することができる。
【００２８】
また、本実施例では、デジタルカメラについて説明したが、同様な副液晶表示窓を持つデジタルビデオカメラや携帯情報端末（ＰＤＡ）、携帯電話のような電子機器に適用できることは言うまでもない。
【００２９】
（第３の実施例）
図６には第３の実施形態におけるデジタルカメラ１０１の外観構成を示す。デジタルカメラ１０１の正面にレンズ部１０２が配置され、背面部には主液晶表示窓２０１、上面部には第１の副液晶表示窓６０１、側面部に第２の副液晶表示窓６０２がそれぞれ配置されている。
【００３０】
図７には第３の実施例におけるデジタルカメラ１０１の内部構成の概略図を示す。デジタルカメラ１０１はレンズ部１０２と撮像素子１０３、信号処理回路１０４、画像記録部１０５、両面液晶表示部材１０６、操作部１０７、傾倒方向検出装置７０１からなる。
【００３１】
図８には本実施例における両面液晶表示部材１０６周辺の構成図を示す。デジタルカメラ１０１の背面部に両面液晶表示部材１０６の液晶表示部材３０４が主液晶表示窓２０１として配置され、液晶表示部材３０３表面に２つの別な方向を向いた反射鏡３０８が配置されている。前記２つの反射鏡３０８は、それぞれ液晶表示部材３０３上に表示された２つの表示７０１と７０２を、それぞれ第１の副液晶表示窓６０１と第２の副液晶表示窓６０２に表示されるような方向を向いて配置されている。この反射鏡３０８は反射鏡３０８と同じ反射をするように被服処理されたプリズムであってもよい。
【００３２】
デジタルカメラ１０１の使用者は、撮像した被写体の像を主液晶表示窓２０１で確認しながら操作部１０７を操作することで、像の画質調整や画像記録部１０５への記録を行うことができる。この際、デジタルカメラ１０１の撮像条件や、画像記録部１０５の記録容量残量の表示は、従来のカメラ同様、デジタルカメラ１０１の上面部と側面部に配置された副液晶表示窓６０１と６０２を見ることで確認することができる。従来のカメラやデジタルカメラでは、この副液晶表示窓６０１と６０２のような役割の表示部には、副液晶表示窓専用に設けられた、バックライトや基板、液晶駆動用集積回路、ダイオード等が必要であった。もしくは、消費電力の大きいバックライトを持たないため、暗がりで見ることができなかった。しかし、本発明におけるデジタルカメラ１０１は、１枚のバックライトで両面表示が可能な液晶表示部材１０６の液晶表示部材３０３側に、反射鏡３０８を配置することで、副液晶表示窓６０１と６０２に表示をすることができる。これにより、従来の副液晶表示窓６０１と６０２を用いた映像表示装置に比較して、消費電力が少なく、さらに基板３０７が主液晶表示窓２０１と副液晶表示窓６０１と６０２とともに共用できるので、筐体の小型化も実現することができる。
【００３３】
また、傾倒方向検出装置７０１からの傾倒方向情報に応じた表示を副液晶表示窓６０１と６０２に表示するような設定にしてもよい。例えば、副液晶表示窓６０１と６０２のどちらか一方に表示をする場合、傾倒方向検出装置７０１により、副液晶表示窓６０１または６０２のどちらかデジタルカメラ１０１の使用者が視認しやすい筐体上部に近いほうに、デジタルカメラ１０１の設定やバッテリーの残量などをまとめて表示する。ここでは表示する情報をデジタルカメラの設定やバッテリー残量としたが、撮影した画像と前述の設定やバッテリー残量を同時に表示したり、カレンダーなどを同時に表示しても良い。
【００３４】
また、副液晶表示窓６０１と６０２の両方にそれぞれ異なる表示をする場合、例えば筐体の上部に近いほうの副液晶表示窓６０１にはデジタルカメラ１０１の撮影設定条件を、それに対して筐体側面に位置する副液晶表示窓６０２にはバッテリー残量を示すような場合である。このような場合、デジタルカメラ１０１が使用者によって傾けられたことを傾倒方向検出装置７０１により検出し、副液晶表示窓６０２が副液晶表示窓６０１よりも筐体の上部に近い場合には、副液晶表示窓６０２にデジタルカメラ１０１の撮影設定条件を表示し、筐体の側面に位置する副液晶表示窓６０１にはバッテリー残量を表示する。
【００３５】
また、傾倒方向検出装置７０１の取り付け方向を変え、レンズ部１０２が水平に対してどのような角度を向いているのか認識するような実施例も考えられる。図９にはデジタルカメラ１０１の使用者９０１が筐体を真上に向けて使用する場合の使用例を示す。また、図１０には水平に対しての角度検出が付いた場合、デジタルカメラ１０１が行う判断処理のフローチャートを示す。前述の通り、副液晶表示窓６０１と副液晶表示窓６０２の２つの液晶表示窓は、筐体が傾いている方向に応じて、上部に近い面の副液晶表示窓には撮影条件設定を、そうではないもう一方の副液晶表示窓にはバッテリーの残量を表示するものとする。Ｓ１００１においてデジタルカメラ１０１が傾倒していないと判断されたときは、主液晶表示窓２０１にデジタルカメラ１０１が撮影している画像を表示し、副液晶表示窓６０１には撮影条件設定を、副液晶表示窓６０２にはバッテリー残量をそれぞれ表示する。Ｓ１００１でデジタルカメラ１０１が傾倒していると判断された場合、レンズの向きをＳ１００２で判断し、レンズが上方を向いていない時には、主液晶表示窓２０１にデジタルカメラ１０１が撮影している画像を表示し、副液晶表示窓６０２には撮影条件設定を、副液晶表示窓６０１にはバッテリー残量をそれぞれ表示する。また、Ｓ１００２でレンズが上方を向いていると判断された時には、主液晶表示窓２０１と副液晶表示窓６０１，６０２双方に画像表示をおこない、２つの副液晶表示窓には撮影設定条件やバッテリー残量を重ねて表示する。
【００３６】
本実施例では、２つの副液晶表示窓について説明したが、副液晶表示窓の数はこの限りではない。
【００３７】
また、本実施例では、デジタルカメラについて説明したが、同様な副液晶表示窓を持つデジタルビデオカメラや携帯情報端末（ＰＤＡ）、携帯電話のような電子機器に適用できることは言うまでもない。
【００３８】
【発明の効果】
以上、説明したように、本発明における映像表示装置は、一度に視認可能な複数の面上に情報表示部を持つ配置構成を、両面液晶表示部材を用いて実現することで、省電力で小型な筐体を提供することができる。
【図面の簡単な説明】
【図１】第１の実施形態におけるデジタルカメラの概略の内部構成を示す図
【図２】第１の実施形態におけるデジタルカメラの外観斜視図
【図３】第１の実施形態における両面液晶表示部材周辺の構成を示す図
【図４】第２の実施形態におけるデジタルカメラの外観斜視図
【図５】第２の実施形態における両面液晶表示部材周辺の構成を示す図
【図６】第３の実施形態におけるデジタルカメラの外観斜視図
【図７】第３の実施形態におけるデジタルカメラの概略の内部構成を示す図
【図８】第３の実施形態における両面液晶表示部材周辺の構成を示す斜視図
【図９】第３の実施形態におけるデジタルカメラの使用例を示す図
【図１０】第３の実施例におけるデジタルカメラが行う判断処理のフローチャート
【符号の説明】
２０１　主液晶表示窓
２０２　副液晶表示窓
３０１　両面液晶表示部材
３０２　バックライト部
３０３　液晶表示部材
３０４　液晶表示部材
３０６　液晶駆動用集積回路
３０７　基板
３０８　反射鏡
６０１　第１の副液晶表示窓
６０２　第２の副液晶表示窓
９０１　デジタルカメラの使用者
【図１】
2004012605.tif 000003
【図２】
2004012605.tif 000004
【図３】
2004012605.tif 000005
【図４】
2004012605.tif 000006
【図５】
2004012605.tif 000007
【図６】
2004012605.tif 000008
【図７】
2004012605.tif 000009
【図８】
2004012605.tif 000010
【図９】
2004012605.tif 000011
【図１０】
2004012605.tif 000012